(57)【特許請求の範囲】
【請求項１】
ベース編部と経糸挿入部を含むラッシェル経編地であって、
前記経糸挿入部は前記ベース編部の編立て方向と直交する方向の少なくとも一端に存在し、
前記経糸挿入部は経挿入糸と鎖編糸とジャカード組織糸で編成され、
前記経挿入糸は、鎖編糸及びジャカード組織糸の各々よりも太いことを特徴とするラッシェル経編地。
【請求項２】
前記経挿入糸は、鎖編糸とジャカード組織糸の合計した繊度よりも太い請求項１に記載のラッシェル経編地。
【請求項３】
前記経挿入糸は、弾性糸の表面に合成繊維フィラメント糸をカバーリングした伸縮糸である請求項１又は２に記載のラッシェル経編地。
【請求項４】
前記ベース編部は、鎖編糸とジャカード組織糸で編成されている請求項１〜３のいずれか１項に記載のラッシェル経編地。
【請求項５】
前記鎖編糸はウーリーナイロン糸であり、前記ジャカード組織糸及び前記経挿入糸はウレタン糸にウーリーナイロン糸をカバーリングした伸縮糸である請求項１〜４のいずれかに記載のラッシェル経編地。
【発明の詳細な説明】
【技術分野】
【０００１】
本発明は、編地の末端処理が不要なラッシェル経編地に関する。
【背景技術】
【０００２】
経編地はスポーツ用シャツ、女性のインナー衣類等に使用されている。端部処理を不要とする経編地も提案されており、特許文献１〜２にはダブルラッシェル機により表裏編地を接結し、裁断面の縁処理を不要としたラッセル編地が開示されている。特許文献３にはアトラス組織とし、縦、横、斜め方向に裁断してもほつれない経編地が提案されている。特許文献４〜５には熱融着糸を編み込み、熱融着させて編地端のほつれを防止することが提案されている。
【先行技術文献】
【特許文献】
【０００３】
【特許文献１】特開２０１０−１９６１８４号公報
【特許文献２】特開２００４−０９１９７１号公報
【特許文献３】特開２００７−１３１９５６号公報
【特許文献４】特開２００９−２０９４８０号公報
【特許文献５】特開２００７−２６２６０１号公報
【発明の概要】
【発明が解決しようとする課題】
【０００４】
しかし、従来のラッシェル経編地は、端部が薄い場合はカール（巻き上がり）が発生するなどの平坦性が悪い問題があった。また、例えば女性下着のショーツ裾部（脚部との接触部）に使用すると下着ラインが見えるなどの問題もあった。
【０００５】
本発明は、前記従来の問題を解決するため、編地の端にカールが発生せず、平坦性が良好で端処理も不要なラッシェル経編地を提供する。
【課題を解決するための手段】
【０００６】
本発明のラッシェル経編地は、ベース編部と経糸挿入部を含むラッシェル経編地であって、前記経糸挿入部は前記ベース編部の編立て方向と直交する方向の少なくとも一端に存在し、前記経糸挿入部は経挿入糸と鎖編糸とジャカード組織糸で編成され、前記経挿入糸は、鎖編糸及びジャカード組織糸の各々よりも太いことを特徴とする。
【発明の効果】
【０００７】
本発明は、経糸挿入部はベース編部の編立て方向と直交する方向の少なくとも一端に存在し、経糸挿入部は経挿入糸と鎖編糸とジャカード組織糸で編成され、経挿入糸は、鎖編糸及びジャカード組織糸の各々よりも太いことにより、経糸挿入部のカールを防止し平坦性を出し、編地の末端処理も不要なラッシェル経編地を提供できる。この経編地を例えば女性下着のショーツに適用した場合、ベース編部はショーツの主要部に、経糸挿入部はショーツ裾部（脚部との接触部）に配置できる。その結果、ショーツ裾部はそのままで平坦であり、折り返し処理は不要となり、下着ラインは出ずデザイン上の利点となる。さらに経挿入糸として伸縮性糸を使用した場合は、前記のデザイン上の利点に加えて伸縮性糸の伸びとパワーで裾部の着用感を良くすることができる。
【図面の簡単な説明】
【０００８】
【図１】図１は本発明の一実施形態のラッシェル経編地の模式的説明図である。
【図２】図２は本発明の一実施形態のラッシェル経編地の製造に使用するダブルラッシェル編機の要部を示す模式的側面図である。
【図３】図３は本発明の一実施形態のラッシェル経編地の経糸挿入部の組織図である。
【発明を実施するための形態】
【０００９】
本発明は、ベース編部の編立て方向と直交する方向の少なくとも一端に経糸挿入部が存在するラッシェル経編地である。ラッシェル経編地は伸縮性があり、身体にフィットすることから女性用下着に好適である。経糸挿入部はベース編地の一端又は両端に存在しても良い。ベース編地は無模様であっても編み模様（編み柄）があっても良い。経糸挿入部は経挿入糸と鎖編糸とジャカード組織糸で編成される。以下の説明においては、「ラッシェル経編地」は単に「経編地」ともいう。
【００１０】
経挿入糸は、鎖編糸及びジャカード組織糸の各々よりも太い。これにより、経糸挿入部は平坦になり、カールの発生を防止できる。好ましくは経挿入糸は、鎖編糸とジャカード組織糸を合計した繊度よりも太くする。これによりさらに経糸挿入部はしっかりしたものとなり、平坦性が高くなる。ベース編地の長さ及び幅は目的とする衣類によって任意のものとできる。例えば長さ及び幅は１０ｃｍ〜３ｍ程度にできる。経糸挿入部の幅は５〜５０ｍｍが好ましく、より好ましくは１０〜３０ｍｍである。
【００１１】
経挿入糸は、弾性糸の表面に合成繊維フィラメント糸をカバーリングした伸縮糸であるのが好ましい。このように伸縮糸にすると、下着ラインを出さない効果に加えて、伸縮性糸の伸びとパワーで裾部の着用感を良くすることができる。
【００１２】
ベース編部は、鎖編糸とジャカード組織糸で編成するのが好ましい。編み模様（編み柄）を入れる場合は、ジャカード組織糸の変化で基本組織と柄を編成する。ジャカード組織糸の振り巾を変化させることにより柄表現をする。同様に穴地も編成できる。
【００１３】
鎖編糸はウーリーナイロン糸であり、ジャカード組織糸及び経挿入糸はウレタン糸にウーリーナイロン糸をカバーリングした伸縮糸であるのが好ましい。このような糸使いであると、下着として着用感が高く、かつ経糸挿入部は下着ラインを出さない効果に加えて、伸縮性糸の伸びとパワーで裾部の着用感を良くすることができる。
【００１４】
以下図面を用いて説明する。以下の図面において、同一符号は同一物を意味する。図１は本発明の一実施形態のラッシェル経編地１０の模式的説明図である。このラッシェル経編地１０は、ベース編部１１の編立て方向Ａと直交する方向の一端に経糸挿入部１２を形成している。図１のベース編部１１と経糸挿入部１２の間の部分は、ベース組織に挿入糸を挿入させているだけで、挿入糸が有る無しの違いだけである。
【００１５】
図２は本発明の一実施形態のラッシェル経編地の製造に使用するダブルラッシェル編機の要部を示す模式的側面図である。この編機は、前後２列のニードル列を有し、かつジャカード装置により横振り運動が制御されるジャカード筬を備えるダブルラッセル機である。Ｆは前側ニードル列、Ｂは後ろ側ニードル列であり、前記ニードル列Ｆ，Ｂに対し筬Ｌ１〜Ｌ６が編機の前部側から後部側に向かって配列されている。
【００１６】
Ｌ１、Ｌ２、Ｌ５、Ｌ６は地組織における鎖組織又は挿入組織を編成する地筬、Ｌ３とＬ４はジャカード筬を示している。経挿入糸１，６はそれぞれ筬Ｌ１，Ｌ６を通して経糸挿入する。鎖編糸２，５は筬Ｌ２，Ｌ５を通して鎖編による地編組織を編成する。ジャカード組織糸３，４はジャカード筬Ｌ３，Ｌ４を通してジャカード組織を編成する。筬Ｌ１〜Ｌ３により前側のニードル列Ｆで経編地７を編成し、筬Ｌ４〜Ｌ６により、後側のニードル列Ｂで同様の経編地８を編成する。
【００１７】
図１に示す経糸挿入部１２は、図２の経挿入糸１，６と鎖編糸２，５とジャカード組織糸３，４によって編成する。図１に示すベース編部１１は、図２の鎖編糸２，５とジャカード組織糸３，４によって編成する。すなわち、経挿入糸１，６を使用しない。
【００１８】
図２において、ジャカード組織糸３がジャカード筬Ｌ４へ、ジャカード組織糸４がジャカード筬Ｌ３に点線で示すように通されるのはダブル組織を形成する場合である。
【００１９】
図３は本発明の一実施形態のラッシェル経編地の経糸挿入部の組織図である。筬番号１(GB1)と６(GB6)に経挿入糸を配置して経糸挿入する。筬番号２(GB2)と５(GB5)に鎖編糸を配置して鎖編による地編組織を編成する。筬番号３(GB3)と４(GB4)にジャカード筬を通したジャカード組織糸を配置してジャカード組織を編成する。経糸挿入部はGB1-GB6の全部の筬を使用して編成し、ベース編部はGB1とGB6の経挿入糸が無い状態で編成する。
【実施例】
【００２０】
以下、実施例を用いてさらに具体的に説明する。なお、本発明は下記の実施例に限定されるものではない。
【００２１】
（実施例１）
（１）使用糸
(a)経挿入糸はポリウレタン糸、繊度７８dtex(デシテックス)に、フィラメント数３４本のウーリーナイロンフィラメント糸、繊度４４dtexを巻き付けたカバーリングヤーンを２本通した。カバーリングヤーンを２本の合計繊度((78+44)×2)は２４４dtexであった。
(b)鎖編み糸はフィラメント数４０本のウーリーナイロンフィラメント糸、繊度５６dtexを使用した。
(c)ジャガード組織糸はカバーリング糸であり、ポリウレタン、繊度２２dtexにウーリーナイロン糸、繊度５６dtexを巻きつけたカバーリングヤーンを使用した。
（２）編み機及び編み組織
図２に示すジャカード付きダブルラッシェル機を使用し、図３の編み組織にしたがって編成した。
（３）編成された編み物
編成された編み物は、全体の編み長さ７５ｃｍ、幅２１ｃｍ（ベース編部の幅１９ｃｍ，経糸挿入部の幅２ｃｍ）で、重量は１１６ｇであった。この編み物はツーウェイの伸縮性があった。ベース編部のコース数は８０個／インチ、ウェル数は５６個／インチであった。ベース編部の縦方向（編立て方向）の伸縮性は２６０％、横方向の伸縮性は３６０％であった。また、経糸挿入部の縦方向（編立て方向）の伸縮性は２６０％、横方向の伸縮性は３６０％であった。前記伸縮性は２０ｃｍ幅の編物を４ｋｇの力で伸ばした時の伸び寸法である。この編み物の経糸挿入部は平坦であり、カールは発生しなかった。
【００２２】
この編み物を裁断して婦人用ショーツに縫製した。その結果、ショーツ裾部の折り返処理は不要であり、下着ラインは出ずデザイン上の利点となり、さらに伸縮性糸の伸びとパワーで裾部の着用感を良くすることができた。全体として伸縮性も良好で着心地も良かった。
【産業上の利用可能性】
【００２３】
本発明の経編地はショーツ以外にも、ガードル、スリップ、キャミソール、ブラジャー、シャツ、レオタード、コスチューム、スポーツ用衣類、ホームウエア、インナーウェア、レッグウェアなど様々に衣類に適用できる。
【符号の説明】
【００２４】
１，６  経挿入糸
２，５  鎖編糸
３，４  ジャカード糸
７，８，１０  ラッシェル経編地
１１  ベース編部
１２  経糸挿入部
Ｌ１，Ｌ２，Ｌ５，Ｌ６  地筬
Ｌ３，Ｌ４  ジャカード筬
Ｆ  前側ニードル列
Ｂ  後ろ側ニードル列
【図１】
0005984766.tif 000002
【図２】
0005984766.tif 000003
【図３】
0005984766.tif 000004